(57)【要約】【課題】ソフトスイッチ呼制御方法およびそのソフトスイッチデバイスを提供すること。【解決手段】ソフトスイッチデバイスは、発呼側でイニシャルアドレスメッセージＩＡＭを取得し、取得したイニシャルアドレスメッセージＩＡＭに基づいて発呼者および被呼者の情報を分析し、メディアゲートウェイに、コンテキストを生成し、発呼者および被呼者が同じメディアゲートウェイによって制御される場合に、発呼者および被呼者に対応するタイムスロットのＴＤＭ半永久物理的ターミネーションをコンテキストに追加することを通知する。したがって、ＴＤＭ音声のローカルループを実装し、ＲＴＰストリームのＩＰループを低減し、ディジタル信号処理、エコーキャンセリングなどのステップなどネットワークリソースを効果的に低減することができる。【選択図】      図４
2006186982.tif 000002
【特許請求の範囲】
【請求項１】
Ａ）発呼者が呼を発信し、ソフトスイッチデバイスが発呼側のイニシャルアドレスメッセージ（ＩＡＭ）を取得するステップと、
Ｂ）ソフトスイッチデバイスが発呼者および被呼者の情報を分析し、前記メディアゲートウェイでコンテキストを生成し、発呼者および被呼者が同じメディアゲートウェイによって制御される場合に、発呼者および被呼者についての半永久物理的ターミネーションをコンテキストに追加するステップと、
Ｃ）ソフトスイッチデバイスがイニシャルアドレスメッセージ（ＩＡＭ）を回線交換ネットワークにシグナリングゲートウェイを介して被呼側で伝送し、回線交換ネットワークが応答メッセージ（ＡＣＭ）を戻し、被呼者の電話機が鳴動するステップと、
Ｄ）ソフトスイッチデバイスがアドレス完了メッセージ（ＡＣＭ）を伝送し、メディアゲートウェイが呼出音を伝送するステップとを含む、ソフトスイッチ呼制御方法。
【請求項２】
前記メディアゲートウェイがトランクゲートウェイ、アクセスゲートウェイ、またはインテグレーテッドアクセスデバイスである請求項１に記載のソフトスイッチ呼制御方法。
【請求項３】
前記半永久物理的ターミネーションが時分割多重化ベースのＴＤＭターミネーションである請求項１に記載のソフトスイッチ呼制御方法。
【請求項４】
前記ステップＢ）が、
Ｂｌ）ソフトスイッチデバイスが発呼側でメディアゲートウェイを制御して新しいコンテキストを生成し、コンテキストに半永久物理的ターミネーションおよび短命のターミネーションを追加するステップと、
Ｂ２）ソフトスイッチデバイスが発呼者および被呼者の情報を分析し、発呼者および被呼者が同じメディアゲートウェイによって制御される場合に、発呼側で生成されたコンテキストから短命のターミネーションを削除することをメディアゲートウェイに通知するステップと、
Ｂ３）ソフトスイッチデバイスが、発呼側で生成されたコンテキストに被呼側の半永久物理的ターミネーションを追加することをメディアゲートウェイに通知するステップとをさらに含む請求項１に記載のソフトスイッチ呼制御方法。
【請求項５】
前記短命のターミネーションがリアルタイム伝送プロトコルベースのＲＴＰターミネーションである請求項４に記載のソフトスイッチ呼制御方法。
【請求項６】
前記方法が、
Ｅ）被呼者がオフフックし、被呼側のシグナリングゲートウェイが応答メッセージ（ＡＮＭ）をソフトスイッチデバイスに伝送するステップと、
Ｆ）ソフトスイッチデバイスが変更コマンドをメディアゲートウェイに伝送し、呼出音を遮断するステップと、
Ｇ）ソフトスイッチデバイスが応答メッセージ（ＡＮＭ）を発呼側でシグナリングゲートウェイに伝送するステップとをさらに含む請求項１から５のいずれかに記載のソフトスイッチ呼制御方法。
【請求項７】
パケット交換ネットワークを介して幾つかのメディアゲートウェイに接続され、メディアゲートウェイを制御して受信された呼シグナリングに基づいてサービス呼を確立するソフトスイッチデバイスであって、取得されたイニシャルアドレスメッセージ（ＩＡＭ）に基づいて発呼者および被呼者の情報を分析し、メディアゲートウェイに、前記メディアゲートウェイでコンテキストを生成し、発呼者および被呼者が同じメディアゲートウェイによって制御される場合に、発呼者および被呼者についての半永久物理的ターミネーションをコンテキストに追加することを通知することを特徴とするソフトスイッチデバイス。
【請求項８】
前記半永久物理的ターミネーションが時分割多重化ベースのＴＤＭターミネーションである請求項７に記載のソフトスイッチ呼制御のためのソフトスイッチデバイス。
【請求項９】
呼制御および処理を行い、発呼者および被呼者の情報およびサービス論理を分析し、接続制御情報を接続制御ユニットに通知する呼処理ユニットであって、メディアゲートウェイにコンテキストを生成して発呼者および被呼者が同じメディアゲートウェイによって制御される場合に発呼者および被呼者についての半永久物理的ターミネーションをコンテキストに追加する、呼処理ユニットと、
発呼者および被呼者のリソース状態情報を管理するリソース管理ユニットと、
呼処理ユニットからの接続制御情報に基づいてメディアゲートウェイでのメディアストリームの接続、確立および解放を制御し、メディアゲートウェイから応答メッセージを受信する接続制御ユニットとを備える請求項７または８に記載のソフトスイッチ呼制御のためのソフトスイッチデバイス。
【発明の詳細な説明】
【技術分野】
【０００１】
本発明は通信技術に関し、特に、ネクストジェネレーションネットワーク（ＮＧＮ）でのソフトスイッチ呼制御方法および対応するソフトスイッチデバイスに関する。
【背景技術】
【０００２】
ネクストジェネレーションネットワーク（ＮＧＮ）の中心技法としてのソフトスイッチ技術の目的は、パケットに基づく次世代公衆網を構築して、公衆交換電話網（ＰＳＴＮ）からネクストジェネレーションネットワーク（ＮＧＮ）への移行を実施することである。ＮＧＮは次世代向きネットワークであり、音声、データ、およびマルチメディアなど多様なサービスを含む統合オープンネットワークを提供することができる。階層技術がＮＧＮネットワークで使用され、すなわちネットワーク全体が４つの層に区分されており、ＮＧＮネットワークのコア技術はサービス制御と呼制御を分離することである。
【０００３】
図１で示したように、ソフトスイッチシステムは４つの論理機能層を有する。従来のＰＳＴＮネットワークとは異なり、４つの機能層、すなわちアクセス層、伝送層、制御層、およびサービス層が完全に分離されている。また、各機能層は、統合されたオープンＮＧＮフレームワークを形成するためのオープンインターフェースを有するネットワークデバイスを使用して構成される。
【０００４】
１．アクセス層：ユーザをパケットネットワークに接続する多数のアクセス手段を提供し、情報フォーマットをパケットネットワークを介して伝送することができるものに変換する
２．伝送層：パケット技術を使用して高信頼で、ターミネーション間の、ＱｏＳ保証された、統合伝送プラットフォームを提供し、全種類の媒体用の帯域幅伝送チャネルを提供する
３．制御層：呼制御および処理、並びに、プロトコル、サービス提供、相互通信のための機能を主に提供する
４．サービス層：オープンサービスインターフェースを使用して複数のネットワークサービスを提供する。
【０００５】
上記のソフトスイッチシステムでは、ソフトスイッチデバイスはＮＧＮネットワークの制御ユニットであり、ネットワークのデバイスごとに呼制御および接続制御の機能を提供し、以前は異なるアプリケーション分野で、呼サーバ、呼エージェント、またはメディアゲートウェイコントローラ（ＭＧＣ）と呼ばれていた。メディアゲートウェイ（ＭＧ）は、ネットワークでの音声ストリームのオーバーロード伝送を行い、時分割多重（ＴＤＭ）ベースの音声などの１つのタイプのメディアストリームとＩＰベースのリアルタイムトランスミッションプロトコル（ＲＴＰ）のＩＰ／ＡＴＭデータストリームなどの他のタイプのメディアストリームとの変換を制御する。メディアゲートウェイは、アクセスゲートウェイ（ＡＧＷ）、トランクゲートウェイ（ＴＧＷ）インテグレーテッドアクセスデバイス（ＩＡＤ）などに分類することができる。シグナリングゲートウェイ（ＳＧ）は、回線交換ネットワークとパケットネットワークの間のシグナリング変換および相互通信を行うものであり、アクセスゲートウェイの一部でもよい。一般的に、Ｈ．２４８メディアゲートウェイ制御プロトコルは、ソフトスイッチデバイスとメディアゲートウェイの間で使用され、それによってソフトスイッチが、メディアゲートウェイを介してメディアストリームの接続、確立および解放を制御する。Ｈ．２４８プロトコルで定義された接続モデルには、２つの主な概念、すなわちターミネーションおよびコンテキストが含まれる。ターミネーションは、メディアゲートウェイの論理エンティティであり、１つまたは複数のタイプのメディアストリームを送受信することができる。主なタイプのターミネーションは、ＴＤＭチャネルまたはアナログ回線などの半永久物理的ターミネーション、および、音声、データ、およびビデオ信号、並びに全種類のコンポジット信号を伝達するためのＲＴＰストリームなどの短命のターミネーションである。コンテキストは、幾つかのターミネーション間の関係を示し、ターミネーションとメディアハイブリッド／切換えの間のトポロジ関係を表すパラメータである。コンテキストを、ＡＤＤ（追加）コマンドによって生成し、Ｓｕｂｔｒａｃｔ（削除）コマンドによって削除することができ、ＭＯＶＥ（移動）コマンドによってコンテキスト間のターミネーションの偏移を制御することができる。
【０００６】
図２は、トランクゲートウェイを制御して呼制御を確立する、対応する標準Ｈ．２４８プロトコルのためのステップを示す。
【０００７】
Ｓ１：発呼者がダイアルし、イニシャルアドレスメッセージ（ＩＡＭ）をソフトスイッチデバイスにシグナリングゲートウェイＳＧ１を介して伝送する。
Ｓ２：ソフトスイッチデバイスがＴＧＷ１に新しいコンテキストを生成し、そのコンテキストにＴＤＭターミネーションおよびＲＴＰターミネーションを追加する。
Ｓ３：ソフトスイッチデバイスがＴＧＷ２に新しいコンテキストを生成し、そのコンテキストにＴＤＭターミネーションおよびＲＴＰターミネーションを追加する。
Ｓ４：ソフトスイッチデバイスがＩＡＭを回線交換ネットワークにシグナリングゲートウェイＳＧ２を介して伝送し、回線交換ネットワークがアドレスコンプリーションメッセージ（ＡＣＭ）を返信し、被呼者の電話機が鳴動する。
Ｓ５：ソフトスイッチデバイスが変更（Ｍｏｄｉｆｙ）コマンドをＴＧＷ１に伝送し、リモートＲＴＰポート番号およびＩＰアドレスを通知し、呼出音の伝送を通知する。
Ｓ６：ソフトスイッチデバイスがＡＣＭをＳＧ１に伝送する。
Ｓ７：被呼者がオフフックし、ＳＧ２がアンサーメッセージ（ＡＮＭ）をソフトスイッチデバイスに伝送する。
Ｓ８：ソフトスイッチデバイスが変更（Ｍｏｄｉｆｙ）コマンドをＴＭＧ１に伝送し、呼出音を遮断する。
Ｓ９：ソフトスイッチデバイスがＡＮＭをＳＧ１に伝送する。
【０００８】
しかし、一般に同じメディアゲートウェイの制御下にあるユーザ、すなわちＡＧＷ（図示せず）下の２人のユーザ、または同じＴＧＷによって接続された２つのローカル交換機（ＬＥＸ）のユーザがメディアストリームの変換を行うには、２つのコンテキストを生成することが必要とされる。標準Ｈ．２４８プロトコル呼制御確立方法を使用する同じトランクゲートウェイ下の伝達チャネルのエンドツーエンド接続のための概略図である図３で示したように、音声呼などのサービス呼が、同じトランクゲートウェイ３６に接続された２つの交換機３１、３４の２つの電話ユーザ３０、３３の間で行われるときに、上記の標準Ｈ．２４８呼制御方法に従って処理が進められる。発呼者３０はダイアルし、そのシグナリングメッセージはイニシャルアドレスメッセージ（ＩＡＭ）をソフトスイッチデバイス３８にシグナリングゲートウェイ３２を介して伝送する。ソフトスイッチデバイス３８は、トランクゲートウェイ３６を制御して、発呼者３０のための新しいコンテキストＣｏｎｔｅｘｔ  Ｃｘを生成し、そのコンテキストにＴＤＭターミネーションＴｔｐ＿ａおよびＲＴＰターミネーションＥｔｐ＿ａを追加しなければならない。そのように、別の新しいコンテキストＣｏｎｔｅｘｔ  Ｃｙを同じトランクゲートウェイ３６に生成し、そのコンテキストにＴＤＭターミネーションＴｔｐ＿ｂおよびＲＴＰターミネーションＥｔｐ＿ｂを追加する必要がある。発呼側のＴＤＭ音声ストリームはメディアゲートウェイによってＲＴＰストリームに変換されて、パケット交換ネットワークのルーティングデバイス３７を通過し、発呼者と被呼者の間の正常な通信を行うＴＤＭストリームに再変換される必要がある。
【０００９】
上記のイベントでは、同じメディアゲートウェイ下での発呼者と被呼者の間のサービス確立のために、メディアゲートウェイは、メディアストリームの変換をメディアゲートウェイのリソースを無駄にするディジタル信号処理、エコーキャンセリングなどの関連処理とともに行わなければならない。パケット交換ネットワークは、ＲＴＰストリームのＩＰループを達成しなければならず、これはネットワークリソースを浪費する。
【発明の開示】
【課題を解決するための手段】
【００１０】
本発明は、Ｈ．２４８プロトコルに制御されたメディアゲートウェイに基づく機能および制御の流れを改善して、ローカルループを同じゲートウェイ下の２つのＴＤＭターミネーションの呼制御でサポートする、ソフトスイッチ呼制御方法の提供を対象としており、前記ソフトスイッチ呼制御方法は、
Ａ）発呼者が呼を発信し、ソフトスイッチデバイスが発呼側でイニシャルアドレスメッセージ（ＩＡＭ）を取得するステップと、
Ｂ）ソフトスイッチデバイスが発呼者および被呼者の情報を分析し、前記メディアゲートウェイでコンテキストを生成し、発呼者および被呼者が同じメディアゲートウェイによって制御される場合に、発呼者および被呼者についての半永久物理的ターミネーションをコンテキストに追加するステップと、
Ｃ）ソフトスイッチデバイスがイニシャルアドレスメッセージ（ＩＡＭ）を回線交換ネットワークにシグナリングゲートウェイを介して被呼側で伝送し、回線交換ネットワークが応答メッセージ（ＡＣＭ）を戻し、発呼者の電話機が鳴動するステップと、
Ｄ）ソフトスイッチデバイスがアドレス完了メッセージ（ＡＣＭ）を伝送し、メディアゲートウェイが呼出音を伝送するステップとを含む。
【００１１】
好ましくは、前記ステップＢ）は、
Ｂｌ）ソフトスイッチデバイスが発呼側でメディアゲートウェイを制御して新しいコンテキストを生成し、コンテキストに半永久物理的ターミネーションおよび短命のターミネーションを追加するステップと、
Ｂ２）ソフトスイッチデバイスが発呼者および被呼者の情報を分析し、発呼者および被呼者が同じメディアゲートウェイによって制御される場合に、発呼側で生成されたコンテキストから短命のターミネーションを削除することをメディアゲートウェイに通知するステップと、
Ｂ３）ソフトスイッチデバイスが、発呼側で生成されたコンテキストに被呼側の半永久物理的ターミネーションを追加することをメディアゲートウェイに通知するステップとを含む。
【００１２】
被呼者がオフフックした場合、この方法はさらに、
Ｅ）被呼者がオフフックし、被呼側のシグナリングゲートウェイが応答メッセージをソフトスイッチデバイスに伝送するステップと、
Ｆ）ソフトスイッチデバイスが変更（Ｍｏｄｉｆｙ）コマンドをメディアゲートウェイに伝送し、呼出音を遮断するステップと、
Ｇ）ソフトスイッチデバイスが応答メッセージをシグナリングゲートウェイに発呼側で伝送するステップとを含む。
【００１３】
本発明は、パケット交換ネットワークを介して幾つかのメディアゲートウェイに接続され、メディアゲートウェイを制御して受信された呼シグナリングに基づいてサービス呼を確立するソフトスイッチデバイスであって、取得されたイニシャルアドレスメッセージ（ＩＡＭ）に基づいて発呼者および被呼者の情報を分析し、メディアゲートウェイに、前記メディアゲートウェイでコンテキストを生成し、発呼者および被呼者が同じメディアゲートウェイによって制御される場合に、発呼者および被呼者についての半永久物理的ターミネーションをそのコンテキストに追加することを通知することを特徴とするソフトスイッチデバイスも提供する。
【００１４】
好ましくは、ソフトスイッチデバイスは、
呼制御および処理を行い、発呼者および被呼者の情報およびサービス論理を分析し、接続制御情報を接続制御ユニットに通知する呼処理ユニットであって、メディアゲートウェイでコンテキストを生成して発呼者および被呼者が同じメディアゲートウェイによって制御される場合に発呼者および被呼者についての半永久物理的ターミネーションをコンテキストに追加する、呼処理ユニットと、
発呼者および被呼者のリソース状態情報を管理するリソース管理ユニットと、
呼処理ユニットからの接続制御情報に基づいてメディアゲートウェイでのメディアストリームの接続、確立および解放を制御し、メディアゲートウェイから応答メッセージを受信する接続制御ユニットとを備える。
【００１５】
本発明の方法およびソフトスイッチデバイスによれば、このソフトスイッチデバイスは、発呼者および被呼者の番号に基づいて発呼者および被呼者のホームを決定し、メディアゲートウェイに、発呼者および被呼者に対応する（トランクタイムスロットなどの）半永久物理的ターミネーションを含むコンテキストを生成するように命令して、発呼者および被呼者のメディアストリーム（ＴＤＭ音声）のローカルループが実装され、ディジタル信号処理、エコーキャンセリングのためのステップなどのソフトスイッチデバイスのシステムリソースを低減することができるようにする。一方で、本発明は、ＲＴＰストリームのＩＰループを低減し、さらにパケット交換ネットワークのネットワークリソースを効果的に低減する。
【発明を実施するための最良の形態】
【００１６】
本発明を実施する好ましい方法の詳細な説明を図と併せて以下に提供する。
【００１７】
図４は、本発明のソフトスイッチ呼制御方法の一実施例である。ＭＧＣは、同じトランクゲートウェイ下でユーザの呼の確立を制御する。最初に、発呼者が呼を発信し、ソフトスイッチデバイスがイニシャルアドレスメッセージＩＡＭを発呼側でシグナリングゲートウェイＳＧ１によって取得する（ステップ１’）。ソフトスイッチデバイスは、発呼側でトランクゲートウェイを制御して新しいコンテキストＣｚを生成し、ＩＡＭで提供された発呼者の情報に基づいて発呼側にＴＤＭターミネーションＴｔｐ＿ａおよびＲＴＰターミネーションＥｔｐ＿ａを追加し、トランクゲートウェイが発呼側で生成のためのメッセージをソフトスイッチデバイスに戻す（ステップ２’）。発呼側でトランクゲートウェイによって生成されたコンテキストは図に４２で示されている。次いで、ソフトスイッチデバイスは、発呼者および被呼者の情報を分析し、発呼者および被呼者が同じトランクゲートウェイによって制御される場合に、トランクゲートウェイを制御してＲＴＰターミネーションＥｔｐ＿ａをコンテキストから削除する。そのように、メディアゲートウェイは、実行の情報をソフトスイッチデバイスに戻す必要がある（ステップ３’）。トランクゲートウェイによって生成されたコンテキストは図に４３で示されている。ソフトスイッチデバイスはさらに、トランクゲートウェイに被呼側でＴＤＭターミネーションＴｔｐ＿ｂをコンテキストに追加することを通知し、メディアゲートウェイはリソースの状態に基づいて関連するターミネーションを生成し、ソフトスイッチデバイスに応答する（ステップ４’）。トランクゲートウェイによって生成されたコンテキストは図に４４で示されている。最後に、ソフトスイッチデバイスはＩＡＭを回線交換ネットワークにシグナリングゲートウェイＳＧ２を介して伝送し、回線交換ネットワークはＡＣＭを戻し、被呼者の電話機が鳴動する（ステップ５’）。ソフトスイッチデバイスは、ＡＣＭを発呼側のシグナリングゲートウェイＳＧ１に伝送する（ステップ６’）。被呼者はオフフックし、シグナリングゲートウェイＳＧ２はＡＮＭをソフトスイッチデバイスに伝送する（ステップ７’）。ソフトスイッチデバイスは、変更（Ｍｏｄｉｆｙ）コマンドをトランクゲートウェイに伝送し、呼出音を遮断する（ステップ８’）。ソフトスイッチデバイスは、ＡＮＭをシグナリングゲートウェイＳＧ１に伝送する（ステップ９’）。同じトランクゲートウェイによって制御されない呼の確立のためのステップに関しては、図１で示した方法が参照されるが、本明細書では詳細な説明を提供しない。
【００１８】
コンテキストＣｚのメディアゲートウェイでの確立は、上記のステップに従う必要はなく、この実装形態はＨ．２４８標準プロトコルの制御の流れと一致すると考えられることを留意されたい。代替実施例として、ソフトスイッチデバイスは、発呼側でイニシャルアドレスメッセージＩＡＭを取得した後に発呼者および被呼者の情報を分析し、トランクゲートウェイを直接制御してコンテキストを生成し、発呼者および被呼者が同じトランクゲートウェイによって制御される場合にＴＤＭターミネーションＴｔｐ＿ａ、Ｔｔｐ＿ｂを追加し、呼制御のための他のステップを実行することができる。
【００１９】
図５は、本発明のソフトスイッチ呼制御方法を使用する同じトランクゲートウェイ下の伝達チャネルのエンドツーエンド接続である。音声呼が、同じトランクゲートウェイ５６下でそれぞれ２つのスイッチ５１、５４に接続された２つの電話ユーザ５０、５３の間で実行された場合、発呼者５０はダイアルし、そのシグナリングメッセージはイニシャルアドレスメッセージＩＡＭをソフトスイッチデバイス５８にシグナリングゲートウェイ５２を介して伝送する。ソフトスイッチデバイス５８は、トランクゲートウェイ５６を制御して新しいコンテキストＣｚを生成し、発呼者５０のためのコンテキストにＴＤＭターミネーションＴｔｐ＿ａおよびＲＴＰターミネーションＥｔｐ＿ａを追加する必要がある。次いで、ソフトスイッチデバイスは、発呼者および被呼者の情報を分析し、トランクゲートウェイを制御してＲＴＰターミネーションＥｔｐ＿ａをコンテキストから削除し、発呼者および被呼者が同じトランクゲートウェイによって制御され、確立する必要があるメディアストリームのタイプが同じである場合は、被呼者側にＴＤＭターミネーションＴｔｐ＿ｂをさらに追加する。トランクゲートウェイは、上記のステップによって、発呼者および被呼者のＴＤＭターミネーションを有するコンテキストＣｚを最後に生成することが通知される。したがって、ＴＤＭ音声のローカルループは、トランクゲートウェイで実装され、それによってＲＴＰストリームのＩＰループが低減され、トランクゲートウェイおよびパケット交換ネットワークのリソースが効果的に低減される。
【００２０】
図６は、本発明によるソフトスイッチデバイスの構成を示す概略図である。この構成は、呼処理ユニット６１０、リソース管理ユニット６２０、および接続制御ユニット６３０を備えることができ、呼処理ユニット６１０は通常、基本呼の確立、維持、および解放、関連する呼処理、接続制御、リソース制御などの制御機能を提供するために使用される。本発明の概念に対応して、この構成では、ソフトスイッチデバイスのシグナリング処理ユニットから発呼側でシグナリングメッセージを受信し、発呼者および被呼者のアドレス情報、状態、サービス論理を分析し、接続制御ユニットに接続制御情報を通知し、この情報は、メディアゲートウェイにコンテキストを生成し、発呼者および被呼者が同じメディアゲートウェイによって制御される場合に、発呼者および被呼者用の半永久物理的ターミネーションをコンテキストに追加するために使用される。リソース管理ユニット６２０は、発呼者および被呼者のリソース状態情報を管理し、発呼者および被呼者に関連する状態情報（被呼者が通話中であることを示す情報など）を呼処理ユニットに提供してサービス論理の決定を処理するために使用される。接続制御ユニット６３０は、呼処理ユニットからの接続制御情報に基づいて、メディアゲートウェイでのメディアストリームの接続、確立、および解放を制御する。一般的には、それはソフトスイッチデバイスとメディアゲートウェイの間のインターフェースプロトコル（Ｈ．２４８／ＭＥＧＡＣＯ）に基づく。メディアゲートウェイは、その中にコンテキストを生成し、図５で示したように、関連する半永久物理的ターミネーションまたは短命のターミネーションをそのコンテキストに追加する。発呼者および被呼者が同じメディアゲートウェイによって制御される場合、メディアゲートウェイは、発呼者および被呼者の半永久物理的ターミネーションを含むコンテキストＣｚを最終的に生成する。一方、接続制御ユニットは、メディアゲートウェイから状態情報を受信する。接続制御ユニットの制御のための様々な目的に基づいて、接続制御ユニットは、それぞれ発呼者および被呼者のゲートウェイの接続制御のための第１の接続制御ユニット６３１および第２の接続制御ユニット６３２を備えることができる。
【００２１】
本発明の上記の実施例は、単に一例として示したものであって限定的ではないことを述べる必要がある。上記の実施例を参照して本発明の詳細な説明を提供したが、当業者には理解されるように、本発明の精神および範囲から逸脱することなく変更および等価の置き換えを行うことができ、それは添付の特許請求の範囲によって限定される本発明の範囲内に包含されるものである。
【図面の簡単な説明】
【００２２】
【図１】ソフトスイッチシステムのアーキテクチャを示す図である。
【図２】標準Ｈ．２４８プロトコルを使用してトランクゲートウェイを制御する呼制御方法を示す図である。
【図３】標準Ｈ．２４８プロトコルの呼制御方法を使用する同じトランクゲートウェイ下のメディアストリームのエンドツーエンド接続を示す概略図である。
【図４】本発明のソフトスイッチ呼制御方法の一実施例を示す図である。
【図５】本発明のソフトスイッチ呼制御方法を使用する同じトランクゲートウェイ下の伝達チャネルのエンドツーエンド接続を示す図である。
【図６】本発明のソフトスイッチデバイスの構成の一部を示す概略図である。
【符号の説明】
【００２３】
３０、５０  発呼者
３１、３４  交換機
３２、５２  シグナリングゲートウェイ
３６、５６  トランクゲートウェイ
３７  ルーティングデバイス
３８、５８  ソフトスイッチデバイス
５１、５４  スイッチ
６１０  呼処理ユニット
６２０  リソース管理ユニット
６３０  接続制御ユニット
６３１  第１の接続制御ユニット
６３２  第２の接続制御ユニット
【図１】
2006186982.tif 000003
【図２】
2006186982.tif 000004
【図３】
2006186982.tif 000005
【図４】
2006186982.tif 000006
【図５】
2006186982.tif 000007
【図６】
2006186982.tif 000008
【外国語明細書】
2006186982.tif 000009
2006186982.tif 000010
2006186982.tif 000011
2006186982.tif 000012
2006186982.tif 000013
2006186982.tif 000014
2006186982.tif 000015
2006186982.tif 000016
2006186982.tif 000017
2006186982.tif 000018
2006186982.tif 000019
2006186982.tif 000020
2006186982.tif 000021
2006186982.tif 000022
2006186982.tif 000023
2006186982.tif 000024
2006186982.tif 000025
2006186982.tif 000026
2006186982.tif 000027
2006186982.tif 000028